(57)【要約】【課題】  ディスクごとにレーザ光の記録パワーの最適値を容易に決定することが可能な情報記録装置および記録パワー制御方法を提供する。【解決手段】  情報記録装置１は、光ディスク１０に対して情報を記録するピックアップユニット２０と、ピックアップユニット２０から再生信号ＧＮを受けるＲＦアンプ３０と、ＲＦアンプ３０からＲＦ信号を受けるＣＰＵ４０とを備える。ＣＰＵ４０は、ＲＦ信号のＩ１４Ｈレベルが飽和値以下の所定レベルに達していなければ、ＲＦアンプ３０からピックアップユニット２０にレーザパワー上昇の指令を送出する。【選択図】        図１
2006172622.tif 000002
【特許請求の範囲】
【請求項１】
記録媒体に照射されるレーザ光の記録パワーを最適に制御する情報記録装置であって、
前記記録媒体の所定領域に対して前記レーザ光のパワーを振って前記記録媒体へ試し書きを行ない、前記記録媒体の前記所定領域に対してデータの記録および再生を行なって再生信号を生成するとともに、前記記録媒体に対する前記再生信号の設定振幅レベルの飽和値を設定するピックアップユニットと、
前記再生信号を増幅して高周波増幅信号を生成する高周波増幅部と、
前記高周波信号を受けて、前記高周波増幅信号の前記設定振幅レベルを検知し、前記設定振幅レベルが前記飽和値以下の所定レベルに達していなければ前記高周波増幅部から前記ピックアップユニットに前記レーザ光のパワー上昇の指令を送出し、前記設定振幅レベルが前記飽和値以下の所定レベルに達していれば前記レーザ光の現在のパワーを前記記録パワーに設定する制御部とを備え、
前記設定振幅レベルは、Ｉ１４Ｈレベルであり、
前記飽和値以下の所定レベルは、前記飽和値の−１０％である、情報記録装置。
【請求項２】
記録媒体に照射されるレーザ光の記録パワーを最適に制御する記録パワー制御方法であって、
前記記録媒体の所定領域に対して前記レーザ光のパワーを振って前記記録媒体へ試し書きを行なうステップと、
前記記録媒体の前記所定領域に対してデータの記録および再生を行なって再生信号を生成するステップと、
前記記録媒体に対する前記再生信号の設定振幅レベルの飽和値を設定するステップと、  前記再生信号を増幅して高周波増幅信号を生成するステップと、
前記高周波信号を受けて、前記高周波増幅信号の前記設定振幅レベルを検知するステップと、
前記設定振幅レベルが前記飽和値以下の所定レベルに達していなければ、前記レーザ光のパワー上昇の指令を送出するステップと、
前記設定振幅レベルが前記飽和値以下の所定レベルに達していれば、前記レーザ光の現在のパワーを前記記録パワーに設定するステップとを備え、
前記設定振幅レベルは、Ｉ１４Ｈレベルであり、
前記飽和値以下の所定レベルは、前記飽和値の−１０％である、記録パワー制御方法。
【請求項３】
記録媒体に照射されるレーザ光の記録パワーを最適に制御する情報記録装置であって、
前記記録媒体の所定領域に対して前記レーザ光のパワーを振って前記記録媒体へ試し書きを行ない、前記記録媒体の前記所定領域に対してデータの記録および再生を行なって再生信号を生成するとともに、前記記録媒体に対する前記再生信号の設定振幅レベルの飽和値を設定するピックアップユニットと、
前記再生信号を増幅して高周波増幅信号を生成する高周波増幅部と、
前記高周波信号を受けて、前記高周波増幅信号の前記設定振幅レベルを検知し、前記設定振幅レベルが前記飽和値以下の所定レベルに達していなければ前記高周波増幅部から前記ピックアップユニットに前記レーザ光のパワー上昇の指令を送出し、前記設定振幅レベルが前記飽和値以下の所定レベルに達していれば前記レーザ光の現在のパワーを前記記録パワーに設定する制御部とを備える、情報記録装置。
【請求項４】
前記設定振幅レベルは、Ｉ１４Ｈレベルである、請求項３に記載の情報記録装置。
【請求項５】
前記飽和値以下の所定レベルは、前記飽和値の−１０％である、請求項３に記載の情報記録装置。
【請求項６】
記録媒体に照射されるレーザ光の記録パワーを最適に制御する記録パワー制御方法であって、
前記記録媒体の所定領域に対して前記レーザ光のパワーを振って前記記録媒体へ試し書きを行なうステップと、
前記記録媒体の前記所定領域に対してデータの記録および再生を行なって再生信号を生成するステップと、
前記記録媒体に対する前記再生信号の設定振幅レベルの飽和値を設定するステップと、  前記再生信号を増幅して高周波増幅信号を生成するステップと、
前記高周波信号を受けて、前記高周波増幅信号の前記設定振幅レベルを検知するステップと、
前記設定振幅レベルが前記飽和値以下の所定レベルに達していなければ、前記レーザ光のパワー上昇の指令を送出するステップと、
前記設定振幅レベルが前記飽和値以下の所定レベルに達していれば、前記レーザ光の現在のパワーを前記記録パワーに設定するステップとを備える、記録パワー制御方法。
【請求項７】
前記設定振幅レベルは、Ｉ１４Ｈレベルである、請求項６に記載の記録パワー制御方法。
【請求項８】
前記飽和値以下の所定レベルは、前記飽和値の−１０％である、請求項６に記載の記録パワー制御方法。
【発明の詳細な説明】
【技術分野】
【０００１】
この発明は、情報記録装置および記録パワー制御方法に関し、特に、ディスクに照射されるレーザ光の記録パワーを最適に制御する情報記録装置および記録パワー制御方法に関する。
【背景技術】
【０００２】
近年、ＤＶＤ−Ｒ（Digital Versatile Disc-Recordable）、ＤＶＤ−ＲＷ（ＤＶＤ-ReWritable）、ＤＶＤ＋ＲＷなどの高密度な記録型光ディスクが開発されている。これらの記録型光ディスクにレーザ光を照射して記録を行なう場合、そのレーザ光のパワー（記録パワー）が適正な値でないと、記録した信号の品質が低下する。光ディスクに対して記録を行なう情報記録装置では、光ディスクの高密度化にともない、記録に用いられるレーザパワーの制御がこれまで以上に重要な技術となっている。
【０００３】
従来の情報記録装置は、レーザパワーを変化させながら記録したパターンの再生信号からアシンメトリ値を算出してレーザパワーに対するアシンメトリ値の変化率を求め、求めた変化率の最大値を検索して、変化率が最も大きくなるレーザパワーを記録パワーとして選定する（たとえば、特許文献１参照）。
【０００４】
従来の他の情報記録装置は、ディスクから得られる記録条件に基づいて、クーリングパルスのレベルを変更しつつテスト記録を行ない、実際にテスト記録データの再生信号波形を分析することによって、最適なクーリングレベルを確保する。実際の情報記録においては、そうして確定されたクーリングレベルを含む記録条件で記録を行なう（たとえば、特許文献２参照）。
【特許文献１】特開２００４−１１０９９３号公報
【特許文献２】特開２００４−５５１１５号公報
【発明の開示】
【発明が解決しようとする課題】
【０００５】
従来の情報記録装置は、再生信号のパターンからアシンメトリ値を算出しており、レーザのパワーだけでなくパルス幅等も利用している。そのため、構成が複雑になるという問題点があった。
【０００６】
この発明は、上記の課題に鑑みてなされたものであって、その目的は、ディスクごとにレーザ光の記録パワーの最適値を容易に決定することが可能な情報記録装置および記録パワー制御方法を提供することである。
【課題を解決するための手段】
【０００７】
この発明は、記録媒体に照射されるレーザ光の記録パワーを最適に制御する情報記録装置であって、記録媒体の所定領域に対してレーザ光のパワーを振って記録媒体へ試し書きを行ない、記録媒体の所定領域に対してデータの記録および再生を行なって再生信号を生成するとともに、記録媒体に対する再生信号の設定振幅レベルの飽和値を設定するピックアップユニットと、再生信号を増幅して高周波増幅信号を生成する高周波増幅部と、高周波信号を受けて、高周波増幅信号の設定振幅レベルを検知し、設定振幅レベルが飽和値以下の所定レベルに達していなければ高周波増幅部からピックアップユニットにレーザ光のパワー上昇の指令を送出し、設定振幅レベルが飽和値以下の所定レベルに達していればレーザ光の現在のパワーを記録パワーに設定する制御部とを備え、設定振幅レベルは、Ｉ１４Ｈレベルであり、飽和値以下の所定レベルは、飽和値の−１０％である。
【０００８】
この発明の他の局面によれば、記録媒体に照射されるレーザ光の記録パワーを最適に制御する記録パワー制御方法であって、記録媒体の所定領域に対してレーザ光のパワーを振って記録媒体へ試し書きを行なうステップと、記録媒体の所定領域に対してデータの記録および再生を行なって再生信号を生成するステップと、記録媒体に対する再生信号の設定振幅レベルの飽和値を設定するステップと、  再生信号を増幅して高周波増幅信号を生成するステップと、高周波信号を受けて、高周波増幅信号の設定振幅レベルを検知するステップと、設定振幅レベルが飽和値以下の所定レベルに達していなければ、レーザ光のパワー上昇の指令を送出するステップと、設定振幅レベルが飽和値以下の所定レベルに達していれば、レーザ光の現在のパワーを記録パワーに設定するステップとを備え、設定振幅レベルは、Ｉ１４Ｈレベルであり、飽和値以下の所定レベルは、飽和値の−１０％である。
【０００９】
この発明のさらに他の局面によれば、記録媒体に照射されるレーザ光の記録パワーを最適に制御する情報記録装置であって、記録媒体の所定領域に対してレーザ光のパワーを振って記録媒体へ試し書きを行ない、記録媒体の所定領域に対してデータの記録および再生を行なって再生信号を生成するとともに、記録媒体に対する再生信号の設定振幅レベルの飽和値を設定するピックアップユニットと、再生信号を増幅して高周波増幅信号を生成する高周波増幅部と、高周波信号を受けて、高周波増幅信号の設定振幅レベルを検知し、設定振幅レベルが飽和値以下の所定レベルに達していなければ、高周波増幅部からピックアップユニットにレーザ光のパワー上昇の指令を送出し、設定振幅レベルが飽和値以下の所定レベルに達していれば、レーザ光の現在のパワーを記録パワーに設定する制御部とを備える。
【００１０】
好ましくは、設定振幅レベルは、Ｉ１４Ｈレベルである。
【００１１】
好ましくは、飽和値以下の所定レベルは、飽和値の−１０％である。
【００１２】
この発明のさらに他の局面によれば、記録媒体に照射されるレーザ光の記録パワーを最適に制御する記録パワー制御方法であって、記録媒体の所定領域に対してレーザ光のパワーを振って記録媒体へ試し書きを行なうステップと、記録媒体の所定領域に対してデータの記録および再生を行なって再生信号を生成するステップと、記録媒体に対する再生信号の設定振幅レベルの飽和値を設定するステップと、  再生信号を増幅して高周波増幅信号を生成するステップと、高周波信号を受けて、高周波増幅信号の設定振幅レベルを検知するステップと、設定振幅レベルが飽和値以下の所定レベルに達していなければ、レーザ光のパワー上昇の指令を送出するステップと、設定振幅レベルが飽和値以下の所定レベルに達していれば、レーザ光の現在のパワーを記録パワーに設定するステップとを備える。
【００１３】
好ましくは、設定振幅レベルは、Ｉ１４Ｈレベルである。
【００１４】
好ましくは、飽和値以下の所定レベルは、飽和値の−１０％である。
【発明の効果】
【００１５】
この発明によれば、ディスクごとにレーザ光の記録パワーの最適値を容易に決定することが可能となる。
【発明を実施するための最良の形態】
【００１６】
以下、この発明の実施の形態について図面を参照して詳しく説明する。なお、図中同一または相当部分には同一符号を付してその説明は繰り返さない。
【００１７】
図１は、この発明の実施の形態による情報記録装置１の概略的な構成を示したブロック図である。
【００１８】
図１を参照して、この発明の実施の形態による情報記録装置１は、光ディスク１０に対して情報を記録するピックアップユニット２０と、ピックアップユニット２０から再生信号ＧＮを受けるＲＦ（Radio Frequency）アンプ３０と、ＲＦアンプ３０から高周波増幅信号（以下、ＲＦ信号ともいう）を受けるＣＰＵ（Central Processing Unit）４０とを備える。ＣＰＵ４０は、ＲＦ信号のレベルに応じて、ＲＦアンプ３０からピックアップユニット２０にレーザパワー上昇の指令を送出する。このような記録パワーの制御方法については、後に詳述する。
【００１９】
図２は、光ディスクの再生信号の波形（ＲＦレベル）を示した図である。
【００２０】
図２において、横軸は１区画が１００ｎｓであり、縦軸は１区画が１００ｍＶである。図２に示した波形は、周波数が１．８９０２ＭＨｚで、２９９ｍＶのバイアスが与えられている。図２において、ゼロレベルと呼ばれるレベルから波形の最大値までのレベルをＩ１４Ｈレベル（設定振幅レベル）と呼ぶ。本発明の実施の形態では、このＩ１４Ｈレベルを、情報記録装置１における記録パワーの制御に用いる。
【００２１】
図３は、この発明の実施の形態を説明する背景としての記録パワー制御方法のレーザパワーとエラーレート（カウント）との関係を示した図である。
【００２２】
図３において、横軸はレーザパワー（単位はｍＷ）を示す。縦軸の左側は、８０ＥＣＣ（Error Check and Correct）ブロック（１ＥＣＣブロックは３２ＫＢ）当たりのＰＩ（Parity Inner）エラー訂正の数を表わしたエラーレートを示す。縦軸の右側は、ＰＩエラー訂正の数をカウント値として表わしたエラーカウントを示す。
【００２３】
図３を参照して、書き込み時のレーザパワーは、ＯＰＣ（Optimum Power Control）平均パワーＡＶＡが約９．８５ｍＷ、１００回計測中の最大値ＭＡＸが約１０．４９ｍＷ、１００回計測中の最小値ｍｉｎが約９．５２ｍＷ、ＯＰＣ平均＋４σ（標準偏差）ＡＶＥｐが約１０．８ｍＷ、ＯＰＣ平均−４σ（標準偏差）ＡＶＥｎが約８．９７ｍＷである。
【００２４】
図３に示すように、レーザ書き込み時のエラーレートＥＲＴは、レーザパワーが８〜８．５ｍＷにかけて急速に減少し、８．５ｍＷ〜１０ｍＷではそのまま低い値で推移し、１０ｍＷ以上になると再びやや増加する。したがって、書き込み時のレーザパワーが８．５ｍＷ〜１０ｍＷとなるように再生信号のＩ１４ＨレベルＭＤＬを調整できれば、レーザ光の記録パワーの最適値とすることができる。
【００２５】
しかし、光ディスクによっては、図３のように、再生信号のＩ１４ＨレベルＭＤＬとＩ１４Ｈレベルの飽和値（目標値）ＴＭとの交点（図３の外側）がＯＰＣ平均パワーＡＶＡから離れている場合がある。この場合、ディスクごとにレーザ光の記録パワーの最適値を容易に決定することが難しくなる。このような課題を解決した、この発明の実施の形態による記録パワーの制御方法について、次に説明する。
【００２６】
図４は、この発明の実施の形態による記録パワー制御方法のレーザパワーとエラーレート（カウント）との関係を示した図である。横軸および縦軸の説明は、図３と同じなので、ここでは説明を繰返さない。
【００２７】
図４を参照して、書き込み時のレーザパワーは、ＯＰＣ平均パワーＡＶＡが約８．４３ｍＷ、１００回計測中の最大値ＭＡＸが約８．６５ｍＷ、１００回計測中の最小値ｍｉｎが約８．１８ｍＷ、ＯＰＣ平均＋４σ（標準偏差）ＡＶＥｐが約８．９ｍＷ、ＯＰＣ平均−４σ（標準偏差）ＡＶＥｎが約７．９９ｍＷである。
【００２８】
図４に示すように、レーザ書き込み時のエラーレートＥＲＴは、レーザパワーが７．５〜８ｍＷにかけて急速に減少し、８ｍＷ〜１０ｍＷではそのまま低い値で推移し、１０ｍＷ以上になると再びやや増加する。
【００２９】
図４では、Ｉ１４Ｈレベルの飽和値（目標値）ＴＭがディスクごとに最適に設定されるため、再生信号のＩ１４ＨレベルＭＤＬとＩ１４Ｈレベルの飽和値（目標値）ＴＭとの交点をＯＰＣ平均パワーＡＶＡに近づけることができる。このため、ディスクごとにレーザ光の記録パワーの最適値を容易に決定することが可能となる。次に、具体的な記録パワーの設定プロセスについて説明する。
【００３０】
図５は、この発明の実施の形態による記録パワー制御方法の処理の流れを示したフロー図である。
【００３１】
図５を参照して、まずステップＳ１において、ディスクのＣＰＡ（Power Calibration Area）に対してレーザのパワーを振ってディスクへの試し書きを行ない、Ｉ１４Ｈレベルの飽和値（目標値）を設定する。Ｉ１４Ｈレベルの飽和値（目標値）が決まれば、ステップＳ２において、ディスクのＰＣＡに対してピックアップユニット２０がデータの記録および再生を行ない、再生信号をＲＦアンプ３０に出力する。
【００３２】
再生信号をＲＦアンプ３０に出力した後、ステップＳ３において、ＲＦアンプ３０での増幅により生成されたＲＦ信号をＣＰＵ４０に出力する。ＲＦ信号をＣＰＵ４０に出力した後、ステップＳ４において、ＣＰＵ４０は、ＲＦ信号（再生信号）のＩ１４Ｈレベルを検知する。その後、ステップＳ５において、Ｉ１４ＨレベルがステップＳ１で設定した飽和値以下の所定レベル（たとえば、飽和値の−１０％）に達したかどうかを判定する。
【００３３】
ステップＳ５でＩ１４Ｈレベルが飽和値以下の所定レベルに達していなければ、ステップＳ６において、ＲＦアンプ３０からピックアップ２０にレーザパワー上昇の指令を送出し、ステップＳ２に戻る。ステップＳ５でＩ１４Ｈレベルが飽和値以下の所定レベルに達していれば、ステップＳ７において、現在のレーザパワーを記録パワーに設定する。
【００３４】
以上のように、この発明の実施の形態による情報記録装置１は、再生信号のＩ１４Ｈレベルの飽和値（目標値）を固定としないことによって、Ｉ１４Ｈレベルの飽和値（目標値）ＴＭをディスクごとに最適に設定することができる。これにより、ディスク、ピックアップユニット等の要因に左右されることなく、ディスクごとにレーザ光の記録パワーの最適値を容易に決定することが可能となる。
【００３５】
今回開示された実施の形態は、すべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【図面の簡単な説明】
【００３６】
【図１】この発明の実施の形態による情報記録装置１の概略的な構成を示したブロック図である。
【図２】光ディスクのＲＦ信号の波形（ＲＦレベル）を示した図である。
【図３】この発明の実施の形態を説明する背景としての記録パワー制御方法のレーザパワーとエラーレートとの関係を示した図である。
【図４】この発明の実施の形態による記録パワー制御方法のレーザパワーとエラーレートとの関係を示した図である。
【図５】この発明の実施の形態による記録パワー制御方法の処理の流れを示したフロー図である。
【符号の説明】
【００３７】
１  情報記録装置、１０  光ディスク、２０  ピックアップユニット、３０  ＲＦアンプ、４０  ＣＰＵ。
【図１】
2006172622.tif 000003
【図２】
2006172622.tif 000004
【図３】
2006172622.tif 000005
【図４】
2006172622.tif 000006
【図５】
2006172622.tif 000007